(57)【要約】      （修正有）【課題】手帳や書籍などのカバーであって、必要な筆記用具や老眼鏡などのためのがま口収納部を設け利便性の良い形状と構造を有するがま口収納付きカバーを提供する。【解決手段】手帳、ノートまたは書籍を保護する為に付けるカバーに、口金２の付いたがま口タイプの収納ケース４が一体化した。がま口収納ケース付き一体化カバーであって、がま口収納付きカバーの本体１の一端に第１マグネットホック３またはボタンを設け、他端側に一端側に設けられた第１マグネットホック３と結合する第２マグネットホック３を設ける事で、がま口収納付カバー本体を手帳やノート・書籍を巻き付けた時に第１マグネットホック３と第２マグネットホック３が結合し、口金２が設けられたがま口収納付きカバー本体の一端側がカバー本体の蓋になる機能を備えた。【選択図】図２
0003225831.tif 000002
【実用新案登録請求の範囲】
【請求項１】
手帳やノート・書籍などを保護する為に付けるカバーに、口金の付いたがま口タイプの収納ケースが一体化したことを特徴とする、がま口収納ケース付一体化カバー
【請求項２】
請求項１に記載の口金の付いた収納ケース部分が、カバー本体部分の蓋になる機能を備えた請求項１記載のがま口収納ケース付き一体化カバー
【考案の詳細な説明】
【技術分野】
【０００１】    本考案は、手帳および書籍などを入れて持ち歩く際の保護を目的としたカバーと収納に関するものである。
【背景技術】
【０００２】    従来、手帳や書籍などを持ち歩く際の使用するカバーの形状と構造は、
布等で作られた本体１のように巻きつけるタイプが一般的である。このような従来型では、書き込み用の筆記用具は一本しか収納できな場合が多く、手帳などの色分けをする際は他に筆入れを持ち歩かなくてはならない。さらに、書籍などで使用する場合には老眼鏡などを他に持ち歩かなくてはいけなくなる。どちらかを忘れると使えなくなる、読めなくなるなどの利用者からの要望もあることから、それらの要望に対応した新たな手帳や書籍カバー例えば中に沢山のカード収納部やフォトフレームなどをつけたもの（特許文献１）も考案され公開されている
【先行技術文献】
【特許文献】
【０００３】
【特許文献１】実登３０５９３７５号公報
【考案の概要】
【考案が解決しようとする課題】
【０００４】  特許文献１によるカバーでは、沢山の収納による効果でカードのなどの収納を増やし、従来あるシステム手帳のような形状で色々なものを収納する事が出来る。しかし手帳や書籍などを利用する際必要とする物の収納が実用面では課題がある。本考案は、このような課題を解決のためになされたもので、すなわち手帳や書籍をカバーする利便性と、今まで別に持参していた使用時同時に使うであろうものを蓋部分にとりつけ、利便性と実用性を重視してなされたものである。
【課題を解決するための手段】
【０００５】以上の課題を解決するため、本考案では、手帳や書籍を守るためカバーの巻きつけ最終部分に口金が付いた収納部（収納スペース）を設けた。【０００６】また、前期の収納部内側に、マグネットを取り付けカバー自体を蓋とした。このマグネット部分はボタンなどの材料でもよい。【０００７】さらに、本考案ではがま口収納部に、筆記用具もしくは老眼鏡を固定するポケットを上下に設けた。
【考案の効果】
【０００８】第一に、カバー本体に収納がま口を取り付け、手帳の開放時とは別の収納部（収納スペース）のため手帳を使用しながら利用しやすい。【０００９】第二に、マグネットホック（ボタンなど）を取り付けることにより、カバー本体だけだと開いてしまったものを内容物を包み込み固定することができ、手帳や書籍の保護が強化された。【００１０】第三に、右開き左開きに対応すべく、がま口収納部（収納スペース）の内部上下にポケットをつける事によりどちらでも対応可能にした。
【図面の簡単な説明】
【００１１】
【図１】本考案による一実施形態を示す斜視図である。
【図２】本考案による一実施形態を示す収納部である部分を開いた平面図である
【図３】本考案による一実施形態を示す収納部を解放した平面図である
【図４】本考案による一実施形態を示す
【図５】本考案による一実施形態を示す
【考案を実施するための形態】
【実施例】
【００１２】  以下、本考案の実施例を図案に基づいて詳細に説明する。図１は本考案の構成を有するがま口収納付きカバーの横置き状態の斜視図であり、図２は同じく本考案の構成を有するがま口収納付きカバーのがま口収納部を閉めたままカバーの蓋として開けた平面図であり、図３は本考案の構成を有するガマ口収納付きカバーのがま口収納部内部開放時の平面図であり、図４は本考案の構成を有するがま口収納付きカバーのカバー部分を開放時の平面図である。【００１３】  図１に示す通り、本実施例におけるがま口収納付きカバーは、本体１は布製もしくは革製であり、外側は丈夫な布もしくは革で、内側は丈夫な素材の布であり、この二つを縫い合わせたものが本体１である。この本体１の片方端には金属製の口金２が設けられている。【００１４】  図２に示すとおり、カバーの蓋となる部分に金属製の口金２が設けられているが、その収納部４にカバーを固定するマグネットホック３（ボタンなど）を取り付けることにより、手帳や書籍などにしっかり巻きつけた状態で固定できるようになる。【００１５】  図３は、口金開放時の本体１の収納部内部の状態を示しており、収納部５には収納品を固定するためのポケット６が上下に付けられており、中に入る手帳や書籍などがどちら開きでも対応可能にするために設けられている。【００１６】  図４は、本体１の全体を開放した状態の内側平面図で、袋状になった表紙収納部７に対し厚さにある程度対応すべく裏表紙固定具８は伸縮性のある幅広ゴムを使い、入れやすさも考慮している。【００１７】  図５は、使用時の手帳や書籍などを入れる場合の、表紙収納部７と裏表紙固定具際８の装着の流れと使用時の収納部４の位置を図にしたものである。
【符号の説明】
【００１８】１  がま口収納付きカバー本体
２  口金
３  蓋固定用マグネットホック
４  収納部（カバー側）
５  収納部２（内部）
６  収納部３（収納品固定ポケット）
７  カバー内部１（手帳や書籍など表紙収納部）
８  カバー内部２（手帳や書籍などの裏表紙固定ゴム）
【図１】
0003225831.tif 000003
【図２】
0003225831.tif 000004
【図３】
0003225831.tif 000005
【図４】
0003225831.tif 000006
【図５】
0003225831.tif 000007
【手続補正書】
【提出日】令和1年9月5日(2019.9.5)
【手続補正１】
【補正対象書類名】実用新案登録請求の範囲
【補正対象項目名】請求項２
【補正方法】変更
【補正の内容】
【請求項２】
請求項１に記載のがま口収納ケース付き一体化カバーであって、前記のがま口収納ケース付き一体化カバーが、がま口収納付きカバー本体からなり、口金が設けられたがま口収納付きカバー本体の一端側に第１のマグネットホックなどの部材を設け、他端側に第１のマグネットホックなどの部材と結合する第２マグネットホックなどの部材を設ける事で、がま口収納付きカバー本体で手帳やノート・書籍を巻きつけた時に前記の第１マグネットホックなどの部材と第２のマグネットホックなどの部材が結合し、前記口金が設けられたがま口収納付きカバー本体の一端側がカバー本体の蓋になる機能を備えた請求項１記載のがま口収納ケース付き一体化カバー。
【手続補正書】
【提出日】令和2年1月16日(2020.1.16)
【手続補正１】
【補正対象書類名】実用新案登録請求の範囲
【補正対象項目名】全文
【補正方法】変更
【補正の内容】
【実用新案登録請求の範囲】
【請求項１】
手帳、ノートまたは書籍を保護する為に付けるカバーに、口金の付いたがま口タイプの収納ケースが一体化したことを特徴とする、がま口収納ケース付き一体化カバー。
【請求項２】
請求項１に記載のがま口収納ケース付き一体化カバーであって、前記のがま口収納付きカバーの本体の一端に第１マグネットホックまたはボタンを設け、他端側に前記一端側に設けられた第１マグネットホックまたはボタンと結合する第２マグネットホックまたはボタンホールを設ける事で、がま口収納付カバー本体を手帳やノート・書籍を巻き付けた時に前記の第１マグネットホックまたはボタンと第２マグネットホックまたはボタンホールが結合し、前記口金が設けられたがま口収納付きカバー本体の一端側がカバー本体の蓋になる機能を備えた請求項１記載のがま口収納ケースにつき一体化カバー。